(57)【要約】【課題】簡単な構成を実現し遠隔地からも容易に被制御機器を遠隔制御すること。【解決手段】遠隔制御装置１０は、操作部１１と、信号入力部１２と、電圧監視部１３と、受信部１４と、送信部１５と、音声出力部１６と、表示部１７とを備える。これら各構成部１１〜１７は、制御部２０に接続され、この制御部２０を介して接続された電源１８からの電力供給を受けて動作する。制御部２０は、操作部１１への操作入力によって得られた操作入力信号のみならず、信号入力部１２を介して外部から入力した外部入力信号によっても被制御機器の制御コードを選択し対応する制御信号を生成して、送信部１５を介してこの制御信号を出力する。【選択図】図１
2007325102.tif 000002
【特許請求の範囲】
【請求項１】
入力信号に基づいて被制御機器の制御信号を出力する遠隔制御装置であって、
装置本体に設けられた操作部への操作入力による操作入力信号と、外部から入力した外部入力信号とを入力信号としてそれぞれ受け付ける受付手段と、
前記受付手段によって受け付けられた入力信号に基づいて、記憶手段に記憶された前記被制御機器の制御コードを選択する選択手段と、
前記選択手段によって選択された制御コードに応じた制御信号を出力する出力手段と
を備えることを特徴とする遠隔制御装置。
【請求項２】
前記出力手段は、前記制御信号を複数の異なるキャリア周波数を用いて出力することを特徴とする請求項１記載の遠隔制御装置。
【請求項３】
前記出力手段によって用いられる前記複数の異なるキャリア周波数は、３３．３ｋＨｚ及び３７．９ｋＨｚであることを特徴とする請求項２記載の遠隔制御装置。
【請求項４】
前記出力手段は、前記受付手段によって前記入力信号が受け付けられるごとに、前記複数の異なるキャリア周波数による前記制御信号を順番に出力することを特徴とする請求項２又は３記載の遠隔制御装置。
【請求項５】
前記操作部は複数の操作ボタンを有し、
他の遠隔制御装置からの制御信号を受信する受信手段と、
前記受信手段によって受信された制御信号が示す制御コードを前記記憶手段に記憶する学習記憶手段とをさらに備え、
前記学習記憶手段は、前記受付手段によって前記複数の操作ボタンのうちの所定の操作ボタンの指定を示すボタン指定入力信号が受け付けられ、かつ前記受信手段によって前記他の遠隔制御装置からの制御信号が受信された場合は、受信された制御信号が示す制御コードを前記所定の操作ボタンに関連付けて前記記憶手段に記憶することを特徴とする請求項１〜４のいずれか１項記載の遠隔制御装置。
【請求項６】
前記出力手段は、前記制御信号を少なくとも２つの異なる方向に向かってそれぞれ出力するように前記装置本体に設けられた複数の信号出力部を有することを特徴とする請求項１〜５のいずれか１項記載の遠隔制御装置。
【発明の詳細な説明】
【技術分野】
【０００１】
本発明は、制御目標（ターゲット）となる被制御機器に制御信号を送信する遠隔制御装置に関する。
【背景技術】
【０００２】
従来より、遠隔にある被制御機器に制御信号を送信するための遠隔制御装置として、例えば下記特許文献１に開示されているリモコン装置が知られている。このリモコン装置は、複数の被制御機器を一括して制御可能で、かつ各機器ごとに専用のリモコン装置を用意する必要がない構成とされており、具体的には例えば次のように制御をおこなう。
【０００３】
すなわち、従来のリモコン装置においては、まず制御対象となる被制御機器にそれぞれ識別用のＩＤコードが割り当てられている。そして、被制御機器の制御に必要なリモコン制御データはこれらのＩＤコードに関連付けられたうえで、パーソナルコンピュータやその他の補助機器に保持されている。また、被制御機器から補助機器にＩＤコードを送信した場合、補助機器は送信されたＩＤコードに該当するリモコン制御データをリモコン送信機に転送する。そして、リモコン装置は、補助機器からロードしたリモコン制御データを記憶し、以後リモコン装置による被制御機器の遠隔制御が可能となるとされている。
【０００４】
【特許文献１】特開２００３−６１１６６号公報
【発明の開示】
【発明が解決しようとする課題】
【０００５】
しかしながら、上述したような従来のリモコン装置では、被制御機器から送信されたＩＤコードを受信した補助機器によって、このＩＤコードに該当する被制御機器のリモコン制御データをリモコン送信機に送信し、この制御データを受信したリモコン送信機によって遠隔制御を実現する。このため、補助機器を介在させる必要があり、リモコン装置の構成の簡素化を図ることが困難であるという問題がある。
【０００６】
また、リモコン送信機から被制御機器を制御するリモコン制御データを実際に送信する場合は、このリモコン送信機に備えられた操作キーへの指示入力が必要となるため、操作者が実際にリモコン送信機を操作しなければならず、遠隔地からのリモコン送信機を介して遠隔制御をおこなうことはできないという問題がある。
【０００７】
本発明は、このような点に鑑みてなされたもので、簡単な構成を実現し遠隔地からも容易に被制御機器を遠隔制御することができる遠隔制御装置を提供することを目的とする。
【課題を解決するための手段】
【０００８】
本発明に係る遠隔制御装置は、入力信号に基づいて被制御機器の制御信号を出力する遠隔制御装置であって、装置本体に設けられた操作部への操作入力による操作入力信号と、外部から入力した外部入力信号とを入力信号としてそれぞれ受け付ける受付手段と、前記受付手段によって受け付けられた入力信号に基づいて、記憶手段に記憶された前記被制御機器の制御コードを選択する選択手段と、前記選択手段によって選択された制御コードに応じた制御信号を出力する出力手段とを備えることを特徴とする。
【０００９】
また、出力手段は、制御信号を複数の異なるキャリア周波数を用いて出力する。また、出力手段によって用いられる複数の異なるキャリア周波数は、３３．３ｋＨｚ及び３７．９ｋＨｚである。さらに、出力手段は、受付手段によって入力信号が受け付けられるごとに、複数の異なるキャリア周波数による制御信号を順番に出力する。
【００１０】
また、操作部は複数の操作ボタンを有し、他の遠隔制御装置からの制御信号を受信する受信手段と、受信手段によって受信された制御信号が示す制御コードを記憶手段に記憶する学習記憶手段とをさらに備え、学習記憶手段は、受付手段によって複数の操作ボタンのうちの所定の操作ボタンの指定を示すボタン指定入力信号が受け付けられ、かつ受信手段によって他の遠隔制御装置からの制御信号が受信された場合は、受信された制御信号が示す制御コードを所定の操作ボタンに関連付けて記憶手段に記憶する。そして、出力手段は、制御信号を少なくとも２つの異なる方向に向かってそれぞれ出力するように装置本体に設けられた複数の信号出力部を有する。
【発明の効果】
【００１１】
本発明によれば、装置本体に設けられた操作部への操作入力による操作入力信号のみならず、外部から入力した外部入力信号によっても、選択手段により制御コードの選択がおこなわれ、出力手段により制御コードに応じた制御信号が出力される。このため、被制御機器を、遠隔制御装置に対して外部から送信された入力信号によっても制御することができる。また、遠隔制御装置は、従来のものと比較して、制御コードの選択などをパーソナルコンピュータなどの補助機器を介在させずにおこなうことができる。これにより、簡単な構成を実現し遠隔地からも容易に被制御機器を遠隔制御することが可能となる。
【発明を実施するための最良の形態】
【００１２】
以下、添付の図面を参照して、本発明に係る遠隔制御装置の実施形態について説明する。図１は、本発明の実施形態に係る遠隔制御装置の機能的構成を示すブロック図である。また、図２は、同遠隔制御装置による遠隔制御のイメージをあらわす説明図である。
【００１３】
図１に示すように、遠隔制御装置１０は、操作部１１と、信号入力部１２と、電圧監視部１３と、受信部１４とを備えている。また、遠隔制御装置１０は、送信部１５と、音声出力部１６と、表示部１７とを備えている。これら各構成部１１〜１７は、制御部２０に接続され、この制御部２０を介して接続された電源１８からの電力供給を受けて動作する。
【００１４】
操作部１１は、例えば押しボタン式やスライド式などの複数のキーによって構成され、遠隔制御装置１０への各種指示を入力するために設けられている。この操作部１１への操作入力によって得られる操作入力信号は、制御部２０へ入力される。また、この操作部１１は、具体的には、後述するＯＮボタン、ＯＦＦボタン、学習／送信切替ボタン及びスライドスイッチによって構成される。
【００１５】
信号入力部１２は、例えば通信インタフェース（Ｉ／Ｆ）によって構成され、外部から入力した外部入力信号を受け付ける。この信号入力部１２によって受け付けられた外部入力信号は、制御部２０へ出力される。信号入力部１２には、信号を伝播する通信媒体として後述する２芯ケーブルが接続されており、この２芯ケーブルを介して外部から出力された外部信号を外部入力信号として受け付ける。
【００１６】
電圧監視部１３は、例えば電圧監視用ＩＣ（Ｉｎｔｅｇｒａｔｅｄ  Ｃｉｒｃｕｉｔ）によって構成され、遠隔制御装置１０の電源１８の電源電圧を監視する。電圧監視部１３は、具体的には、電源１８の電源電圧があらかじめ設定した所定の閾値以下となった場合に、遠隔制御装置１０の動作が不安定となるのを防止するために制御部２０へリセット信号を出力する。
【００１７】
受信部１４は、例えば赤外線受光素子によって構成され、他の遠隔制御装置から送信された被制御機器の制御コードに応じた制御信号としての赤外線信号を受信する。この受信部１４は、具体的には、被制御機器を遠隔操作する他の遠隔制御装置としての専用リモコンなどから送信される赤外線信号を受信し、この赤外線信号を電気信号に変換して制御部２０に出力する。なお、制御部２０は、受信部１４からの入力信号に基づいて、上記専用リモコンなどで用いられる被制御機器の制御コードを得る。
【００１８】
送信部１５は、例えば信号出力部である赤外線ＬＥＤ（Ｌｉｇｈｔ  Ｅｍｉｔｔｉｎｇ
Ｄｉｏｄｅ）を有する通信モジュールによって構成され、制御部２０によって選択された被制御機器の制御コードに応じた制御信号を出力する。また、送信部１５は、制御信号を複数の異なるキャリア周波数を用いて出力する。そして、送信部１５は、制御部２０からの制御によって、操作部１１や信号入力部１２によって各入力信号が受け付けられるごとに、複数の異なるキャリア周波数による制御信号を順番に出力する。また、送信部１５は、複数の異なるキャリア周波数のうち、一のキャリア周波数による制御信号の出力に不具合が生じた場合は、他のキャリア周波数による制御信号の出力のみをおこなう。
【００１９】
なお、この送信部１５によって出力される制御信号の複数の異なるキャリア周波数は、例えば３３．３ｋＨｚ及び３７．９ｋＨｚである。ここで、この送信部１５は、具体的には、上記信号出力部として遠隔制御装置１０の装置本体に設けられた複数の赤外線ＬＥＤを有して構成されている。この場合、複数の赤外線ＬＥＤは、赤外線による制御信号を少なくとも２つの異なる方向に向かってそれぞれ出力するように装置本体に設けられている。
【００２０】
音声出力部１６は、例えばブザーやスピーカなど備えた音声インタフェース（Ｉ／Ｆ）によって構成され、遠隔制御装置１０における警告音や確認音などの各種音声を出力する。表示部１７は、例えばＬＥＤやディスプレイなどによって構成され、ＬＥＤにより構成された場合は、遠隔制御装置１０の操作状況や動作状況などに基づいて点灯、点滅及び消灯などをおこない、遠隔制御装置１０の各種状態を報知する。電源１８は、乾電池やバッテリなどの直流電源によって構成される。
【００２１】
制御部２０は、例えばＣＰＵ（Ｃｅｎｔｒａｌ  Ｐｒｏｃｅｓｓｉｎｇ  Ｕｎｉｔ）によって構成され、内部に遠隔制御装置１０のブートプログラムや動作プログラムが記録されたＲＯＭ（Ｒｅａｄ  Ｏｎｌｙ  Ｍｅｍｏｒｙ）及びＣＰＵのワークエリアやデータの一時記憶領域として用いられる記憶手段であるＲＡＭ（Ｒａｎｄｏｍ  Ａｃｃｅｓｓ  Ｍｅｍｏｒｙ）などを備えて構成されている。この制御部２０は、例えば操作部１１からの操作入力信号に基づいて、遠隔制御装置１０の動作モードとして、被制御機器の制御コードを学習する学習モードや被制御機器へ制御信号を送信する送信モードを切り替えて遠隔制御装置１０を動作させる。
【００２２】
この制御部２０は、例えば遠隔制御装置１０の動作モードが送信モードである場合、具体的には、操作部１１からの操作入力信号及び信号入力部１２からの外部入力信号のいずれかに基づいて、例えばあらかじめＲＯＭに記憶された被制御機器の制御コードを選択する。そして、制御部２０は、選択された制御コードに応じた制御信号を生成し、生成した制御信号を送信部１５へ出力する。
【００２３】
また、制御部２０は、例えば遠隔制御装置１０の動作モードが学習モードである場合、具体的には、操作部１１の複数の操作ボタンのうち、所定の操作ボタンの指定を示すボタン指定入力信号及び受信部１４からの入力信号に基づいて、専用リモコンなどから得られた制御信号が示す制御コードを所定の操作ボタンに関連付けてＲＡＭに記憶する学習機能を備える。
【００２４】
そして、このように構成された遠隔制御装置１０では、図２に示すように、複数の被制御機器である家電Ａ２１及び家電Ｂ２２を、操作部１１からの操作入力信号のみならず、サーバ２３などの外部からの外部入力信号によっても遠隔制御することが可能となる。なお、例えば家電Ａ２１は照明装置であり、家電Ｂ２２はエアコン装置や冷蔵庫などである。すなわち、この遠隔制御装置１０によれば、例えば家電Ａ２１の電源のＯＮ／ＯＦＦと家電Ｂ２２の電源のＯＮ／ＯＦＦとを、操作部１１のＯＮボタンやＯＦＦボタンを操作者が直接押下するなどして操作することによりおこなうことができる。
【００２５】
また、この遠隔制御装置１０によれば、上記と同様に家電Ａ２１及び家電Ｂ２２の電源のＯＮ／ＯＦＦを、サーバ２３からの外部入力信号が信号入力部１２を介して制御部２０に入力されることにより遠隔からおこなうことができる。この場合、例えばサーバ２３において、家電Ａ２１及び家電Ｂ２２については時間制御（設定時間に基づいて電源のＯＮ／ＯＦＦをおこなう制御）、家電Ａ２１については明るさ制御（明るさの変化に基づいて電源のＯＮ／ＯＦＦをおこなう制御）及び家電Ｂについては温度・湿度制御（温度・湿度の変化に基づいて電源のＯＮ／ＯＦＦをおこなう制御）などをおこない、これらの制御に基づいて信号入力部１２へ信号を出力するように設定すれば、家電Ａ２１及び家電Ｂ２２の遠隔制御が可能となる。
【００２６】
図３〜図７は、同遠隔制御装置の外観を示す外観図である。なお、図３は同遠隔制御装置の正面図、図４は側面図、図５は背面図、図６は上面図及び図７は下面図である。図３〜図７に示すように、遠隔制御装置１０は、例えば樹脂成形部材からなる筐体本体部３０を備え、上述した各構成部１１〜１７をこの筐体本体部３０の内部に備えて構成されている。
【００２７】
筐体本体部３０の正面側には、上方に上述した送信部１５の３つの赤外線ＬＥＤ４１，４２，４３が筐体本体部３０の正面方向と反対方向に向かって赤外線による制御信号を出力するように設けられている。また、筐体本体部３０におけるこれら赤外線ＬＥＤ４１〜４３の下方側には、筐体本体部３０の上方から下方に向かって順番に上述した操作部１１のＯＮボタン３１、ＯＦＦボタン３２及び学習／送信切替ボタン３３が設けられている。
【００２８】
そして、学習／送信切替ボタン３３の下方側には、筐体本体部３０に向かって左側に上述した表示部１７のＬＥＤからなるインジケータ３５が、向かって右側に上述した音声出力部１６のブザー３６がそれぞれ設けられている。さらに、これらインジケータ３５及びブザー３６の下方側には、上述した受信部１４の受光素子４７が設けられている。なお、この受光素子４７は、筐体本体部３０の正面側の表面位置よりも内部側に凹んだ位置に設けられている。
【００２９】
一方、筐体本体部３０の上面側には、上記３つの赤外線ＬＥＤ４１〜４３と同様に、送信部１５の他の３つの赤外線ＬＥＤ４４，４５，４６が筐体本体部３０の上面方向と反対方向に向かって赤外線による制御信号を出力するように設けられている。すなわち、これら赤外線ＬＥＤ４１〜４３と赤外線ＬＥＤ４４〜４６とは、それぞれ２つの異なる方向に向かって赤外線による制御信号を出力するように配置されている。このように構成された赤外線ＬＥＤ４１〜４６を有する送信部１５を備えた遠隔制御装置１０によれば、赤外線による制御信号の送信範囲（到達範囲）を拡大し、確実に被制御機器を遠隔制御することが可能となる。
【００３０】
筐体本体部３０の下面側には、上述した信号入力部１２に接続されたケーブル３７を筐体本体部３０の内部へ導入するためのケーブル孔３７ｂが形成されている。なお、このケーブル孔３７ｂへ導入されるケーブル３７は、２本の電線３７ａによって構成される２芯ケーブルであり、その縦断面は直径φ３程度の円形となるように形成されている。また、このケーブル３７の各電線３７ａは、接続相手機器との接続が容易となるように、未接続の状態ではそれぞれハーフストリップなどにより端末処理されている。
【００３１】
そして、筐体本体部３０の背面側には、遠隔制御装置１０の製造元や仕様諸元、ブランドなどを明記したシールを貼り付けるためのシール貼着領域２４が設けられている。また、このシール貼着領域２４の下方側には、上述した電源１８としてのアルカリ単三型の２本の乾電池３９を格納するための格納空間３８ａが形成され、この格納空間３８ａは、筐体本体部３０に対して着脱自在なカバー部３９により覆われている。
【００３２】
なお、格納空間３８ａの乾電池３９の上方側には、上述した操作部１１のスライドスイッチ３４が設けられている。また、図示は省略するが、本実施形態の遠隔制御装置１０では、この筐体本体部３０を専用のホルダなどに取り付けて壁や柱などの場所に固定した状態で使用することもできる。
【００３３】
次に、本実施形態の遠隔制御装置１０で用いられる制御コードと、この制御コードを構成する制御信号のキャリア周波数との対応関係について説明する。なお、ここでは制御部２０によって選択される制御コードと、送信部１５によって出力される制御信号とを合わせて送信コードとして説明する。本実施形態の遠隔制御装置１０における送信コードとキャリア周波数との対応関係は、以下の表１にあらわすようなものとなる。
【００３４】
【表１】
2007325102.tif 000003
【００３５】
すなわち、本実施形態の遠隔制御装置１０においては、複数の被制御機器に対して表１に（１）〜（８）であらわすパターンの遠隔制御をおこなうことができる。なお、パターン（１）〜（４）は、遠隔制御装置１０の制御部２０のＲＯＭなどにあらかじめ記憶されたプリセットパターンであり、パターン（５）〜（８）は、遠隔制御装置１０の制御部２０のＲＡＭなどに学習して記憶された学習パターンである。
【００３６】
また、パターン（１）〜（４）における送信コードを構成する各コード間には、２８５ｍｓの時間的間隔が付加されており、パターン（５）〜（８）においては、同一の送信コードが３７．９ｋＨｚと３３．３ｋＨｚの異なるキャリア周波数で順番に出力される。これにより、種類の異なる家電Ａ２１及び家電Ｂ２２を確実に遠隔制御することが可能となる。なお、パターン（５）〜（８）において、これらのキャリア周波数で出力することができないときは、３７．９ｋＨｚのキャリア周波数によって送信コードが出力される。
【００３７】
ここで、上述した学習パターンの送信コードを学習する際及び学習した送信コードを出力（送信）する際の遠隔制御装置１０の操作及び動作について説明する。図８は、同遠隔制御装置における学習パターンの学習時における操作と動作を説明するためのフローチャートである。また、図９は、同遠隔制御装置における学習パターンの送信コードを送信する際の操作と動作を説明するためのフローチャートである。なお、図８及び図９に示す処理には、説明の便宜上人為的操作が含まれている。まず、送信コードを学習する際の学習モード時の操作及び動作について説明する。
【００３８】
図８に示すように、まず、操作者によってスライドスイッチ３４が操作され、チャネル１（ｃｈ１）あるいはチャネル２（ｃｈ２）の学習チャネル選択を受け付ける（ステップＳ１）。次に、操作者によって学習／送信切替ボタン３３が押下されたら、学習／送信切替ボタン３３押下を受け付け（ステップＳ２）、制御部２０によって、押下時間が２秒以上であるか否かを判断する（ステップＳ３）。
【００３９】
押下時間が２秒以上でないと判断した場合（ステップＳ３：Ｎｏ）は、送信モードへ移行し（ステップＳ１３）、学習モード時の処理を終了する。一方、押下時間が２秒以上であると判断した場合（ステップＳ３：Ｙｅｓ）は、制御部２０によって、インジケータ３５を点灯させ（ステップＳ４）、点灯してから３０秒以内にＯＮボタン３１かＯＦＦボタン３２が押下されたか否かを判断する（ステップＳ５）。
【００４０】
押下されたと判断した場合（ステップＳ５：Ｙｅｓ）は、制御部２０によって、インジケータ３５を点滅させ（ステップＳ６）、点滅してから３０秒以内に受信部１４によって外部の専用リモコンなどから送信された制御信号が受信されたか否かを判断する（ステップＳ７）。なお、ステップＳ６において、インジケータ３５が点滅する際に、ブザー３６を鳴らすようにしても良い。
【００４１】
そして、制御信号が受信されたと判断した場合（ステップＳ７：Ｙｅｓ）は、制御部２０によって、受信した制御信号が示す制御コードを押下されたボタンに関連付けてＲＡＭに記憶する（ステップＳ８）。このとき、制御部２０によって、このステップＳ８による記憶処理における記憶が無事に成功したか否かを判断する（ステップＳ９）。
【００４２】
記憶が成功したと判断した場合（ステップＳ９：Ｙｅｓ）は、例えばブザー３６を断続的に２回鳴らすなどして学習成功を報知し（ステップＳ１０）、インジケータ３５を消灯させて（ステップＳ１２）、一連の学習モード時の処理を終了する。一方、記憶が成功しなかったと判断した場合（ステップＳ９：Ｎｏ）は、例えばブザー３６を２秒間連続的に鳴らすなどして学習失敗を報知し（ステップＳ１１）、インジケータ３５を消灯させて（ステップＳ１２）、一連の学習モード時の処理を終了させる。なお、上記ステップＳ１１において、学習失敗を報知する場合に、ＲＡＭの記憶領域に十分な空き領域が確保できなかったときは、例えばインジケータ３５を５秒間に２０回点滅させたり、ブザー３６を５秒間に２０回鳴動させたりするなどして報知をおこなうようにしても良い。
【００４３】
また、上記ステップＳ５において、押下されなかったと判断した場合（ステップＳ５：Ｎｏ）及び上記ステップＳ７において、制御信号が受信されなかったと判断した場合（ステップＳ７：Ｎｏ）は、上記ステップＳ１２に移行してインジケータ３５を消灯させて（ステップＳ１２）、一連の学習処理を終了する。次に、このような処理によって学習した送信コードを送信する際の送信モード時の操作及び動作について説明する。
【００４４】
図９に示すように、まず、操作者によってスライドスイッチ３４が操作され、チャネル１（ｃｈ１）あるいはチャネル２（ｃｈ２）の送信チャネル選択を受け付ける（ステップＳ１４）。次に、操作者によって学習／送信切替ボタン３３が押下されたら、学習／送信切替ボタン３３押下を受け付け（ステップＳ１５）、制御部２０によって、押下時間が２秒未満であるか否かを判断する（ステップＳ１６）。
【００４５】
押下時間が２秒未満でないと判断した場合（ステップＳ１６：Ｎｏ）は、学習モードへ移行し（ステップＳ２１）、送信モード時の処理を終了する。一方、押下時間が２秒未満であると判断した場合（ステップＳ１６：Ｙｅｓ）は、制御部２０によって、インジケータ３５を点滅させ（ステップＳ１７）、点滅してから３０秒以内にＯＮボタン３１かＯＦＦボタン３２が押下されたか否かを判断する（ステップＳ１８）。
【００４６】
押下されたと判断した場合（ステップＳ１８：Ｙｅｓ）は、制御部２０によって、押下されたボタンに関連付けて記憶した送信コードに応じた制御信号を送信（出力）し（ステップＳ１９）、インジケータ３５を消灯させて（ステップＳ２０）、一連の送信モード時の処理を終了する。一方、押下されなかったと判断した場合（ステップＳ１８：Ｎｏ）は、上記ステップＳ２０に移行してインジケータ３５を消灯させて（ステップＳ２０）、一連の送信モード時の処理を終了する。
【００４７】
なお、本実施形態の遠隔制御装置１０は、例えば汎用照明リモコンにも適用することができ、この場合は、汎用照明リモコンのボタン操作によって被制御機器を遠隔操作することも可能となる。すなわち、例えばボタン押下に伴う接点短絡時間に基づいて、上述したパターン（１）〜（８）のような送信コードを出力するようにすれば良い。
【００４８】
この場合、具体的には、接点短絡時間が１秒±０．３５秒のときはパターン（１）あるいは（２）を送信し、２秒±０．３５秒のときはパターン（３）あるいは（４）を送信し、３秒±０．３５秒のときはパターン（５）あるいは（６）を送信し、４秒±０．３５秒のときはパターン（７）あるいは（８）を出力する。また、接点短絡時間が５秒±０．３５秒のときはチャネル１（ｃｈ１）を選択し、接点短絡時間が６秒±０．３５秒のときはチャネル２（ｃｈ２）を選択する。
【００４９】
なお、汎用照明リモコンのボタン操作による遠隔操作時の各チャネルは、遠隔制御装置１０の筐体本体部３０に設けられたスライドスイッチ３４のスイッチ位置にかかわらず、優先的に接点短絡時間によって選択決定されるようにすれば操作性を向上させることができる。そして、遠隔制御時においてチャネル選択がなされていない場合は、優先的にチャネル１（あるいはチャネル２）を選択決定するようにすれば良い。
【００５０】
また、上述した遠隔制御装置１０においては、例えば乾電池３９を筐体本体部３０から取り外したときは、ＲＡＭのリフレッシュがおこなわれるため、学習した送信コードや選択決定したチャネルはリセットされる。しかし、乾電池３９を取り外してから各種ボタン３１〜３３を押下しなければ、電源１８に加えて備えられたバックアップ電源によってＲＡＭに記録された情報が保持されているため、リセットされることを防止することができる。
【００５１】
以上述べたように、本発明に係る遠隔制御装置によれば、筐体本体部３０に設けられた各ボタン３１〜３３やスライドスイッチ３４への操作による操作入力信号のみならず、外部のサーバ２３などから入力した外部入力信号によっても、制御部２０により制御コードの選択をおこない、送信部１５により制御コードに応じた制御信号を出力することができる。また、従来のものと比較して、補助機器を介在させずに制御コードに応じた制御信号を出力することができる。これにより、簡単な構成を実現し遠隔地からも容易に被制御機器を遠隔制御することが可能となる。
【図面の簡単な説明】
【００５２】
【図１】本発明の実施形態に係る遠隔制御装置の機能的構成を示すブロック図である。
【図２】同遠隔制御装置による遠隔制御のイメージをあらわす説明図である。
【図３】同遠隔制御装置の外観を示す外観図である。
【図４】同遠隔制御装置の外観を示す外観図である。
【図５】同遠隔制御装置の外観を示す外観図である。
【図６】同遠隔制御装置の外観を示す外観図である。
【図７】同遠隔制御装置の外観を示す外観図である。
【図８】同遠隔制御装置における学習パターンの学習時における操作と動作を説明するためのフローチャートである。
【図９】同遠隔制御装置における学習パターンの送信コードを送信する際の操作と動作を説明するためのフローチャートである。
【符号の説明】
【００５３】
１０…遠隔制御装置、１１…操作部、１２…信号入力部、１３…電圧監視部、１４…受信部、１５…送信部、１６…音声出力部、１７…表示部、１８…電源、２０…制御部、２１…家電Ａ、２２…家電Ｂ、２３…サーバ、３０…筐体本体部、３１…ＯＮボタン、３２…ＯＦＦボタン、３３…学習／送信切替ボタン、３４…スライドスイッチ、３５…インジケータ、３６…ブザー、３７…ケーブル、４１〜４６…赤外線ＬＥＤ、４７…受光素子。
【図１】
2007325102.tif 000004
【図２】
2007325102.tif 000005
【図３】
2007325102.tif 000006
【図４】
2007325102.tif 000007
【図５】
2007325102.tif 000008
【図６】
2007325102.tif 000009
【図７】
2007325102.tif 000010
【図８】
2007325102.tif 000011
【図９】
2007325102.tif 000012